(57)【要約】      （修正有）【課題】ノートや手帳に記載した情報を効率的に管理でき、また常に最新のアプリケーションの提供を可能とする。【解決手段】位置情報パターンが表面に設けられた筆記用紙と、この筆記用紙に設けられたコマンドエリアと、前記筆記用紙の表面に筆記動作することで、前記位置情報パターンを読み取り、筆記情報を記録すると共に、コマンドエリアへの筆記に応じた機能を動作させる電子ペンと、電子ペンと無線接続される情報機器と、この情報機器と接続されるアプリケーションサーバで構成される電子ペンシステムであって、前記コマンドエリアの位置情報を前記電子ペンによって検出し、これに応じた前記アプリケーションサーバのアプリケーションソフトウエアを動作させる。【選択図】図１
2012168910.tif 000002
【特許請求の範囲】
【請求項１】
位置情報パターンが表面に設けられた筆記用紙と、この筆記用紙に設けられたコマンドエリアと、前記筆記用紙の表面に筆記動作することで、前記位置情報パターンを読み取り、筆記情報を記録すると共に、コマンドエリアへの筆記に応じた機能を動作させる電子ペンと、電子ペンと無線接続される情報機器と、この情報機器と接続されるアプリケーションサーバで構成される電子ペンシステムであって、前記コマンドエリアの位置情報を前記電子ペンによって検出し、これに応じた前記アプリケーションサーバのアプリケーションソフトウエアを動作させることを特徴とする電子ペンシステム。
【請求項２】
前記コマンドエリアを前記電子ペンでクリックし、前記筆記用紙上の筆記を囲むように筆記することによって、この囲まれた筆記毎に、前記コマンドエリアに対応した、前記アプリケーションサーバのアプリケーションソフトウエアを動作させることを特徴とする請求項１記載の電子ペンシステム。
【請求項３】
前記筆記用紙には、１日のタイムラインを表す図表が印刷されており、この図表の上に前記電子ペンで筆記動作を行うことによって、前記アプリケーションサーバの時間の設定に関するアプリケーションソフトウエアが動作することを特徴とする請求項１記載の電子ペンシステム。
【請求項４】
前記アプリケーションサーバは、外部クラウドサービスサーバに、前記電子ペンにより筆記されたデータを送信し、管理することを特徴とする請求項１記載の電子ペンシステム。
【発明の詳細な説明】
【技術分野】
【０００１】本発明は、電子ペンによる筆記情報を記録する装置であって、電子ペンによる筆記動作によって、筆記情報を記録し、また外部機器に出力することが可能であり、特に会社における会議の議事録やスケジュール管理、学校等における講義のメモを、電子的に記録し保持する電子ペンシステムに関するものである。
【背景技術】
【０００２】従来、電子ペンを用いて、筆記情報をデジタル化して記録保持するシステムが知られている。
これは、筆記用紙面上の絶対位置を表すドットパターンが印刷形成された筆記用紙の筆記面に電子ペンを走らせることにより、その電子ペンの移動軌跡を演算し、その演算結果を筆記データとして記録するものである。【０００３】この電子ペンシステムは、個人のメモ用として、或いは従来の手帳の代わりとして用いられる他、医療用カルテの記録保存用や、工場の在庫品管理用としても用いられている。
【先行技術文献】
【特許文献】
【０００４】
【特許文献１】特開２００４−０３０２５７号
【特許文献２】特開２００８−２０４３６３号
【発明の概要】
【発明が解決しようとする課題】
【０００５】上記特許文献１では、ドットパターンが印刷された用紙と電子入力ペンによって、看護情報を入力、記録管理するシステムが示されている。
また、上記特許文献２には、ドットパターンが印刷された帳票と電子入力ペンと携帯電話とサーバーからなる広告システムが示されている。
このシステムでは、店側で帳票に電子ペンで広告を記入すると、携帯電話を介してサーバーに送信され、このサーバーから、利用者の携帯電話に、広告が発信されるというものである。【０００６】これらの従来技術では、ドットパターン用紙は、専ら病院や店といった組織によって用いられるものであり、個人利用の例えばノートや手帳といったものにドットパターン用紙を用いるシステムではない。【０００７】本発明は、個人的に利用するノートや手帳を用いたシステムに関するものであり、このノートや手帳の筆記情報を、アプリケーションサーバを用いて、制御、管理するシステムに関するものである。
これにより、ノートや手帳に記載した情報を効率的に管理でき、また常に最新のアプリケーションの提供を可能とするものである。
【課題を解決するための手段】
【０００８】上記課題を解決するため、本発明は、請求項１に記載するように、位置情報パターンが表面に設けられた筆記用紙と、この筆記用紙に設けられたコマンドエリアと、前記筆記用紙の表面に筆記動作することで、前記位置情報パターンを読み取り、筆記情報を記録すると共に、コマンドエリアへの筆記に応じた機能を動作させる電子ペンと、電子ペンと無線接続される情報機器と、この情報機器と接続されるアプリケーションサーバで構成される電子ペンシステムであって、前記コマンドエリアの位置情報を前記電子ペンによって検出し、これに応じた前記アプリケーションサーバのアプリケーションソフトウエアを動作させることを特徴としている。【０００９】また、請求項４に記載するように、前記アプリケーションサーバは、外部クラウドサービスサーバに、前記電子ペンにより筆記されたデータを送信し、管理することを特徴としている。
【発明の効果】
【００１０】本発明によれば、単に筆記を書面に書き留めるだけのノートや手帳が、最新のアプリケーションの提供手段となり、利用者の利便性が向上する。
【図面の簡単な説明】
【００１１】
【図１】図１は、本発明の実施例の形態に係る主要な構成を示す構成図である。
【図２】図２は、本発明の実施例の電子ペン及び筆記用紙に係る構成図である。
【図３】図３は、本発明の実施例の筆記用紙に係る構成図である。
【図４】図４は、本発明の第２の実施例の形態に係る構成図である。
【発明を実施するための形態】
【００１２】以下、本発明を実施するための最良の形態について、図面を参照して詳細に説明する。
【実施例】
【００１３】以下、図に沿って本発明の一実施例を説明する。
図１は電子ペン１をパーソナルコンピュータ２に無線接続した実施例を示す構成図である。
３は表面に絶対位置を算出可能な位置情報パターン（ドットパターン）が印刷され、この表面において電子ペン１によって筆記動作を行う筆記用紙、４はこの部分に電子ペン１で筆記動作を行うことにより、所望の機能を発揮できる状態にするためのコマンドエリアである。【００１４】筆記用紙３の裏面には、例えば特許第３８８１３６５号に示されるような位置情報パターンが、赤外線吸収型インクで形成されている。
また、罫線や、前述のコマンドエリア４を表す文字などは、赤外線を反射するインクで印刷されている。【００１５】このため、電子ペン１は、確実に筆記用紙表面の位置マークを検出できる。
尚、電子ペンには、筆記用のインクが内臓されているが、このインクも、赤外線を吸収するインクを用いており、筆記した後においても、電子ペンによって、その位置を表す位置情報パターンを検出可能となっている。【００１６】電子ペン１によって、筆記用紙３の表面に筆記が行われると、その筆記情報は、電子ペン１からパーソナルコンピュータ２に送信され、更にこのパーソナルコンピュータ２からアプリケーションサーバ５にその情報が送信される。
また、筆記用紙３のコマンドエリア４内でクリックなどの筆記動作を行い、このコマンドエリア４の位置情報が検出されると、電子ペン１からパーソナルコンピュータ２にその位置情報が送信され、更にこのパーソナルコンピュータ２からアプリケーションサーバ５にその情報が送信される。
アプリケーションサーバ５では、受信したコマンドエリアの位置情報に応じて、対応するアプリケーションソフトウエアが動作される。【００１７】図２に電子ペン１の構成を示す概念図を示す。
電子ペン１は、通常のボールペンのインクが充填された芯部材１０（リフィル）と、赤外線撮像装置１１、赤外線発光ＬＥＤ１２及び、前記赤外線撮像装置１１で検出された位置情報パターン３１から筆記軌跡を算出する演算装置１３、メモリ１４、無線通信装置１５、バッテリ１６、及び位置情報の読み取り動作のオン、オフを行うスイッチ１７を内蔵している。
尚、キャップ１９を電子ペン１にかぶせている場合にオフ状態となり、キャップ１９を外すことでオン状態となる。
芯部材１０は、電子ペン１の本体に、着脱可能に配置される。
したがって、黒色、赤色、緑色、或いは青色の芯部材等、実際にインクによって筆記したい色の芯部材を、電子ペン１に装着して利用できる。
また、芯部材１０の挿入される部分の端部には、圧力センサ１８が設けられている。【００１８】筆記の際、筆記用紙３から得る筆記圧を圧力センサ１８で検出すると、赤外線発光ＬＥＤ１２と赤外線撮像装置１１が６０ヘルツ程度の周期で動作され、コンピュータで用いられるマウスのクリックやクリックドラックなどに対応した動作により、順次位置データが検出され、その検出された筆記軌跡データがメモリ１４に記録される。【００１９】この電子ペン１の芯部材１０によって、筆記用紙３の表面に文字などが筆記されると、赤外線撮像装置１１によって、筆記用紙３の表面に形成された位置情報パターン３１が連続的に読み取られる。
この場合、筆記軌跡によって、文字認識を行うことも可能であり、また位置情報に応じた種々の制御が可能となる。
例えば、所定の筆記軌跡が読み取られたら、プリンタを動作させるとか、翻訳ソフトウエアを駆動して、筆記データを翻訳するなどの動作を行わせることができる。【００２０】これらの、文字認識ソフトや、翻訳ソフト、或いは計算処理ソフト、画像処理ソフトといったアプリケーションソフトウエアは、アプリケーションサーバ５に収納されている。
従って、本電子ペンには、アプリケーションソフトウエアをインストールする必要はない。
このため電子ペンは構成が簡略化され、低コストでの提供が可能となる。
また、アプリケーションサーバ５上の最新のアプリケーションソフトウエアを利用することができる。【００２１】図３に、筆記用紙３のコマンドエリア４付近の概要を示す概念図を示す。
筆記面には、図示しない位置情報パターン３１が、筆記用紙全面に印刷されている。そして、この位置情報パターン３１の印刷された表面には、筆記エリアを表す枠線３２及び、筆記を容易にするための罫線３３が設けられている。
この筆記用紙３の上部に、コマンドエリア４が設けられている。
そして、そのコマンドエリア４には、例えば、アポイント、ミーティング、イベント、ＴｏＤｏといったボタンが印刷されている。
また、その下に１日の時刻を表すタイムラインが印刷されている。
更に、その左下には交通費、本、ミーティング、キーワード、忘備録というボタンが印刷されている。【００２２】図に示すように、ミーティングというコマンドエリア４にチェックマークを筆記し、またタイムラインの９から１２に線を筆記すると、その筆記データ、及びコマンドエリア４の位置情報が、パーソナルコンピュータ２を介してアプリケーションサーバ５に送信される。
この場合、スケジュールソフトウエアが動作し、９時から１２時まで会議を行う旨のスケジュールが登録される。【００２３】また、交通費ボタンを電子ペン１でクリックし、「矢野口  矢印  神谷町  １５０円」と筆記した部分を、囲むように筆記すると、この交通費コマンドエリアの位置情報と、囲まれた筆記部分が、電子ペン１から、パーソナルコンピュータ２を介してアプリケーションサーバ５に送信される。
この場合、最初に文字認識ソフトが動作し、「矢野口、神谷町、１５０円」が認識される。  続いて、表計算ソフトウエアが動作し、交通費を記録した表計算ファイルに、認識されたデータが記録される。【００２４】また、本ボタンを電子ペン１でクリックし、「歌うクジラ」と筆記した部分を囲むように筆記すると、この本コマンドエリアの位置情報と、囲まれた筆記部分が、電子ペン１から、パーソナルコンピュータ２を介してアプリケーションサーバ５に送信される。
この場合、最初に文字認識ソフトが動作し、「歌うクジラ」が認識される。続いて、パーソナルコンピュータ２のウェブブラウザを起動し、「歌うクジラ」の書評が検索され、検索結果がパーソナルコンピュータ２のウェブブラウザ上に表示される。【００２５】また、ミーティングボタンを電子ペン１でクリックし、「次回ミーティングは１７日  本社」と筆記した部分を囲むように筆記すると、このミーティングコマンドエリアの位置情報と、囲まれた筆記部分が、電子ペン１から、パーソナルコンピュータ２を介してアプリケーションサーバ５に送信される。
この場合、最初に文字認識ソフトが動作し、「次回ミーティングは１７日  本社」が認識される。続いてカレンダーソフトウエアが動作し、カレンダーの予定表に登録される。【００２６】また、キーワードボタンを電子ペン１でクリックし、「産総研  ４５０℃低温発電」と筆記した部分を囲むように筆記すると、このキーワードコマンドエリアの位置情報と、囲まれた筆記部分が、電子ペン１から、パーソナルコンピュータ２を介してアプリケーションサーバ５に送信される。
この場合、最初に文字認識ソフトが動作し、「産総研  ４５０℃低温発電」が認識される。続いて、パーソナルコンピュータ２のウェブブラウザを起動し、インターネット上で検索がされ、検索結果がパーソナルコンピュータ２のウェブブラウザ上に表示される。【００２７】筆記用紙３は、束ねられてノートを構成している。
このノートのそれぞれのページを構成する筆記用紙は、それぞれ異なる位置情報パターンが印刷されている。
このため、それぞれのページは、別の用紙として認識される。
しかしながら、別のノートを利用する場合、ノートの区別が付かない。
このため、筆記データの保存の際、ノートの区別がないと、筆記データが上書き保存されてしまう。
これに対し、ノート別に、ノートの識別番号を付するのも煩雑であり、コストも高くつく。【００２８】このため、本実施例では、位置情報パターンが印刷されたシールを用意し、シールをノートの識別番号としている。別のノートを利用する場合、このシールを貼り、電子ペン１で、このシールをクリックすることで、ノートの区別を可能としている。【００２９】図４に、第２の実施例を示す。
このシステムにおいては、既存のクラウドサービスの利用を可能としている。
電子ペンシステムとしては実施例１と基本的な構成は同じであるが、本実施例におけるアプリケーションサーバ５は、筆記記録データを、必要に応じて、外部の種々のサービスを提供する外部クラウドサービスサーバ７に送信し、また更新、削除などの管理を行う。
また、本実施例における電子ペン１は、パーソナルコンピュータ２に代えて、携帯電話６を介してアプリケーションサーバ５と通信接続している。【００３０】本発明は、上述の実施例に限定されるものではなく、例えば、電子ペン１は、パーソナルコンピュータ２、携帯電話６以外のその他の携帯情報端末を介してアプリケーションサーバ５と通信接続してもよい。
また、電子ペン１内にメモリ１４を設けることなく、読み取った筆記記録データを、直接送信するストリーミングペンとしてもよい。【００３１】筆記用紙は、単に束ねるのではなく、横にバインダー用の孔を設け、システム手帳のリフィルとしてもよい。
更に、縦の罫線を付加してもよく、或いは罫線や枠線は設けなくてもよい。
コマンドエリア４の位置も、上記一実施例に限定されるものではなく、用紙下部、或いは左右の側面部に設けてもよい。【００３２】また、コマンドエリア４のコマンドも、上記一実施例に限定されない。
例えば、翻訳機能、画像認識整形機能、健康管理機能、などを設けてもよい。
【産業上の利用可能性】
【００３３】本発明によって、ノートや手帳の利便性が向上する。
また、電子ペンの利用者に、常に最新のアプリケーションソフトウエアを提供することが可能となる。
【符号の説明】
【００３４】１：電子ペン
２：パーソナルコンピュータ（情報機器）
３：筆記用紙
４：コマンドエリア
５：アプリケーションサーバ
【図１】
2012168910.tif 000003
【図２】
2012168910.tif 000004
【図３】
2012168910.tif 000005
【図４】
2012168910.tif 000006